(57)【要約】      （修正有）【課題】椅子の着座部の昇降，前後移動、及び背もたれ部の角度調整を可能にした椅子着座部の底盤の改良構造を提供する。【解決手段】底座１は、一側面に１つのフレーム座１２を有し、後部側に可動板１５を備え、フレーム座１２に可動ロッド１３が枢軸設置され、可動ロッド１３の一端は空圧式伸縮ロッドと連結する嵌合筒１１に相対し、可動板１５は台座２の後部側に設置された嵌合溝２４１と相対して互いに嵌合でき、台座２は両側端の上端面にそれぞれ平行に滑動座２５が設置され、台座２前部側の両側下端と底座１中間部両側面とが枢軸結合され、底座１後部両側面と２つの支架ロッド３前端の枢軸孔３１とが枢軸結合され、台座２後部側の両側下端と支架ロッド３前部の枢軸孔３２とが枢軸結合され、台座２と底座１前端とが弾性調整集成体１９により貫通結合され、可動ロッド１３、可動板１５、滑動座２５のそれぞれが各導線により連結される。【選択図】図４
0003108304.tif 000002
【実用新案登録請求の範囲】
【請求項１】
背もたれと連結される底座１と台座２とから構成した椅子着座部の底盤であって、
前記底座１は、底板に空圧式伸縮ロッドと連結する嵌合筒１１を具備し、前記底板の中間部及び後部側の両側面にそれぞれ枢軸孔１０１，１０２を有し、前部側の上面に弾性調整座１９１に相対する貫通孔１０３を有し、かつ前記両側面の１方の側面に前記嵌合筒１１に相対するフレーム座１２が設置されており、前記フレーム座１２には可動ロッド１３が配置されており、
前記底座１の底板後部側には基座１４が固定され、該基座１４には可動板１５を介してフレーム１６がネジ固定されており、前記可動板１５には、ばね１７１を貫通させたネジロッド１７が枢軸孔１５１を前後方向への摺動が可能に設けられると共に、前記ネジロッド定位ばね１７２を貫通して、終端に導線１８１に連結される導線カバー１８とねじ結合されてなり、
前記台座２は、前記底座１と結合して着座部を提供することができる１つの板形状で、前部側の上面に前記弾性調整座１９１及び前記貫通孔１０３に相対するネジ穴２１を有し、又、前部側及び後部側の両側面下端にそれぞれ枢軸孔２２、長孔２３を有する支持部を備えると共に、後部側底面にネジ結合される嵌合座２４を有し、又、両側端の上端面にそれぞれ平行に底座を設置する為の滑動座２５が設置され、前記滑動座２５はストッパー５３のストッパー部５３２により固定、或いは可動状態になり、
上記構成により、前記台座２の後部側下端に設置される前記嵌合座２４の複数の嵌合溝２４１の１つに前記可動板１５の突出部分を嵌入可能とし、また、前記台座２の前部側の両側面下端に設置される枢軸孔２２と、前記底座１の両側面に設置される前記枢軸孔１０１とを１つの軸ロッド４により枢軸連結し、さらに、前記台座２の前記ネジ穴２１と前記底座１の前記貫通孔１０３とを１つのネジロッド４１により貫通させ、貫通した前記ネジロッド４１と前記弾性調整座１９１とを連結固定することにより、弾性調整集成体１９を構成し、
また、前記背もたれの支柱をなす２つの支架ロッド３前端の枢軸孔３１と前記底座１の２つの前記枢軸孔１０２とがそれぞれ枢軸連結され、
又、前記支架ロッド３の後端の２つの枢軸孔３２と前記台座２の２つの前記長孔２３とがそれぞれ枢軸連結され、
各導線に連結される前記底盤１０により椅子の着座部を昇降及び前後移動を可能とし、かつ背もたれの角度調整を可能としたことを特徴とする椅子着座部の底盤。
【請求項２】
前記導線それぞれが調整器と連結する構造により各調整が行なえることを特徴とする請求項１記載の椅子着座部の底盤。
【請求項３】
底盤１０の外観を美化する為にカバー６を設置したことを特徴とする請求項１記載の椅子着座部の底盤。 
【考案の詳細な説明】
【技術分野】
【０００１】
本考案は、椅子着座部の底盤の構造に関し、更に具体的に言うと、椅子の腰掛けとなる着座部の底盤を、空圧式伸縮ロッドにより昇降させたり、着座部に設けた滑動座により前後に移動させたり、さらには椅子の背もたれが弾性調整集成体により弾性調整機能を具備することができるようにした椅子着座部の底盤の改良構造に関する。
【背景技術】
【０００２】
従来、椅子の快適性を追求する為に、多機能の設計に加え、人間工学的に必要な条件、即ち、着座（腰掛）部に人体の曲線に合わせた設計を施したり、脚座と着座部とを連結させる着座部の底盤に、昇降機能・前後移動機能・弾性調整機能が加えられており、これらは、空圧式伸縮ロッド、滑動座、弾性調整ロッドによりその機能を達成することにおいて非常に重要である。
【０００３】
しかるに各機能の各部は独立設計であり、一定の大きさ（面積・体積）の外形を必要とし、多機能にすればするほど着座部の底盤の大きさが大きくなり、全体の重量が増すという問題点がある。
又、前記各種機能をコントロールするためのコントロールレバーは着座部の外方に突出する形態をなしており、運搬時等にトラブルが起きたり、全体の外観意匠性に影響を及ぼしたり、使用者が着座した状態では使用しにくいという問題点があり、上記問題点をいかにして改良して構造の椅子着座部の底盤を開発するかが、関係業界では開発目標となっている。
【考案の開示】
【考案が解決しようとする課題】
【０００４】
椅子着座部の底盤を、着座部を空圧式伸縮ロッドにより昇降させたり、滑動座により前後に移動させたりすることができ、また、椅子の背もたれが、弾性調整集成体により弾性調整機能を備えることのできるようにした椅子着座部の底盤を提供することを目的とする。
【課題を解決するための手段】
【０００５】
本考案は椅子着座部の底盤の構造に関するもので、背もたれと連結される底座１と台座２とから構成した椅子着座部の底盤であって、 前記底座１は、底板に空圧式伸縮ロッドと連結する嵌合筒１１を具備し、前記底板の中間部及び後部側の両側面にそれぞれ枢軸孔１０１，１０２を有し、前部側の上面に弾性調整座１９１に相対する貫通孔１０３を有し、かつ前記両側面の１方の側面に前記嵌合筒１１に相対するフレーム座１２が設置されており、前記フレーム座１２には可動ロッド１３が配置されており、前記底座１の底板後部側には基座１４が固定され、該基座１４には可動板１５を介してフレーム１６がネジ固定されており、前記可動板１５には、ばね１７１を貫通させたネジロッド１７が枢軸孔１５１を前後方向への摺動が可能に設けられると共に、前記ネジロッド定位ばね１７２を貫通して、終端に導線１８１に連結される導線カバー１８とねじ結合されてなり、前記台座２は、前記底座１と結合して着座部を提供することができる１つの板形状で、前部側の上面に前記弾性調整座１９１及び前記貫通孔１０３に相対するネジ穴２１を有し、又、前部側及び後部側の両側面下端にそれぞれ枢軸孔２２、長孔２３を有する支持部を備えると共に、後部側底面にネジ結合される嵌合座２４を有し、又、両側端の上端面にそれぞれ平行に底座を設置する為の滑動座２５が設置され、前記滑動座２５はストッパー５３のストッパー部５３２により固定、或いは可動状態になり、上記構成により、前記台座２の後部側下端に設置される前記嵌合座２４の複数の嵌合溝２４１の１つに前記可動板１５の突出部分を嵌入可能とし、また、前記台座２の前部側の両側面下端に設置される枢軸孔２２と、前記底座１の両側面に設置される前記枢軸孔１０１とを１つの軸ロッド４により枢軸連結し、さらに、前記台座２の前記ネジ穴２１と前記底座１の前記貫通孔１０３とを１つのネジロッド４１により貫通させ、貫通した前記ネジロッド４１と前記弾性調整座１９１とを連結固定することにより、弾性調整集成体１９を構成し、また、前記背もたれの支柱をなす２つの支架ロッド３前端の枢軸孔３１と前記底座１の２つの前記枢軸孔１０２とがそれぞれ枢軸連結され、また、前記支架ロッド３の後端の２つの枢軸孔３２と前記台座２の２つの前記長孔２３とがそれぞれ枢軸連結され、各導線に連結される前記底盤１０により椅子の着座部を昇降及び前後移動を可能とし、かつ背もたれの角度調整を可能としたことを特徴とする。
【考案の効果】
【０００６】
本考案は、上記構造により、下記効果を達成することができる。
（１）台座２の両側の上端面に並列して滑動座２５を直接設置してから、前記滑動座２５上に底座を設置し、前記滑動座２５で前記底座を前後に移動させる機能により、椅子の重心移動が不安定になることがなく、又、前記底盤１０の外形形状が大きくなることがない。
（２）前記可動ロッド１３、前記可動板１５、前記滑動座２５のそれぞれを各調整器の導線に連結し、コントロールレバーを台座２の下方に隠すように配設することにより、外観の美的意匠性が損なわれることがなく、更に、導線による連結設計方式により使用者が使用しやすい最も適した場所に調整器を設置してコントロールレバーを操作するようにした為に、使用者が腰を屈める動作をしなければならないという欠点を解決することができる。
【考案を実施するための最良の形態】
【０００７】
本考案の構造の特徴及びその効果を以下に実施例とそれに合わせた図式及び詳細な説明を列挙し、本考案の長所を詳述する。
【実施例】
【０００８】
本考案は椅子着座部の底盤の構造に関するもので、前記着座部の底盤１０は底座１と台座２とから構成されている。   
前記底座１は、底板１ａのほぼ中央に図示省略した空圧式伸縮ロッドと連結する嵌合筒１１を具備し、中間部及び後部側の両側面にそれぞれ互いに対応する枢軸孔１０１，１０２を有し、前部側の上面には弾性調整座１９１に相対する貫通孔１０３が設けられている。
【０００９】
また、前記両側面の一方の側面には前記嵌合筒１１に相対してフレーム座１２が固定されており、前記フレーム座１２には可動ロッド１３が設置され、可動ロッド１３の一端は前記嵌合筒１１の開孔中央部分に突出し、かつ他端は前記一方の側面より外方に突出した状態で配設されている。
また、底板１ａの後部側には基座１４及びフレーム１６が配設されており、前記基座１４及びフレーム１６の間に可動板１５がネジ固定されている。
【００１０】
前記可動板１５には底板面１５ａより立設する立設板１５ｂが設けられており、前記立
設板１５ｂには前後方向に貫通する枢軸孔１５１が形成されており、スプリングばね１７１を貫通させたネジロッド１７が前後方向の移動が可能に枢支されると共に、前記可動板１５の上面を覆うフレーム１６との間に配設した定位ばね１７２内部に貫通している。
前記ネジロッド１７の終端近傍のネジ部には、導線１８１に連結される筒状の導線カバー１８がねじ結合されている。
【００１１】
図２に示すように、前記導線１８１は前記フレーム１６の線孔１６１を貫通後、導輪１６２により方向転換した後、後述の双方向往復調整器５４（図６，図７参照）と連結することができるようになっている。
【００１２】
前記台座２は前記底座１の上面に結合されて、着座部となる底盤を提供することができる扁平な板部材からなり、図３の如く、前部側の上面に前記弾性調整座１９１及び前記貫通孔１０３に相対するネジ穴２１を有する。また上方に折り曲げた両側面の前部側及び後部側の下面にはそれぞれ枢軸孔２２及び長孔２３を有する支持部が設けられており、さらに後部側の底面にはネジ結合される嵌合座２４が設けられている。
【００１３】
さらに、前記台座２の両側端の上端面にはそれぞれ平行に滑動座２５が設置される。前記滑動座２５の構造は、軌道板２５１とこの上面にネジ結合される蓋２５５からなる。そして、前記台座２の両側端には平行に形成した上下に貫通する長穴２６および前記長穴２６の周面に近接して形成した複数のボール受け孔２５３が形成され、このボール受け孔２５３にはボール２５４が配設されて前記軌道板２５１の下面が当接するように設置される。
【００１４】
前記軌道板２５１は下面に突出部２５１ａを有し、この突出部２５１ａに下方より凹型座２５２が嵌合するようになっており、前記軌道板２５１は前記長穴２６上に可動設置されて蓋２５５と共に長穴２６の範囲内を移動できるようになっている。
また、前記蓋２５５の両側面には複数の嵌入溝２５６を有し、該嵌入溝２５６には導線５２によって操作されるストッパー５３が脱着自在に嵌合するようになっている。
【００１５】
そして、前記嵌入溝２５６にストッパー５３が嵌入した状態で、滑動座２５の移動が制限を受け、逆に前記ストッパー５３のストッパー部５３２が前記導線５２に引っ張られると、前記嵌入溝２５６から外れ、前記滑動座２５は可動状態となる構造である。
また、台座２の後部側下端面には嵌合座２４が固着されており、嵌合座２４の下端面には前記可動板１５の先端が係合する嵌合溝２４１が形成されている。
さらに、前記台座２の板面上には、前記可動ロッド１３の一端に相対する所に１つの導管２８が設置されている。
【００１６】
上記構造により、前記台座２の後部側下端に設置される前記嵌合座２４の嵌合溝２４１の１つに前記可動板１５の突出部分を嵌入させる。又、前記台座２の前部両側面下端に設置される枢軸孔２２と前記底座１の両側面に設置される前記枢軸孔１０１とを１つの軸ロッド４により、枢軸連結する。又、前記台座２の前記ネジ穴２１と前記底座１の前記貫通孔１０３とを１つのネジロッド４１により貫通させ、貫通した前記ネジロッド４１と前記弾性調整座１９１とを連結固定することにより、弾性調整集成体１９の構造を形成する。
【００１７】
さらに、図４に示すように、背もたれの支柱をなす一対の支架ロッド３前端の枢軸孔３１と前記底座１の２つの前記枢軸孔１０２とがそれぞれ枢軸連結され、前記支架ロッド３の２つの枢軸孔３２と前記台座２の２つの前記長孔２３とがそれぞれ枢軸連結される。
また、前記底座１の前記可動ロッド１３の終端が導線５１に連結され、前記導線５１は前記導管２８を貫通した後、１つの往復調整器５に連結される。
前記往復調整器５の構造は、図６に示す如く、１つの回転軸５５に導線５１の先端を連結させ、前記回転軸５５の外周に前記導線５１を巻きつける構造で、前記回転軸５５のレバーを作動すること、即ち、前記回転軸５５を回転させることにより、前記導線５１を引っ張ったり、緩めたりすることができる。
【００１８】
また、前記可動板１５に連結する前記導線１８１と前記ストッパー５３に連結する前記導線５２とが、１つの双方向往復調整器５４により連結される。前記双方向往復調整器５４は、図７に示す如く、回転軸５５のストッパー接触面５７及び制限プレート５６により、停止機能を具備することができる。
前記往復調整器５及び前記双方向往復調整器５４の設置位置は所望の位置に設けることが出来る。
【００１９】
本考案の前記底盤１０の構成により、前記可動ロッド１３は前記往復調整器５の前記導線５１に引っ張られること、即ち前記回転軸５５のレバーを動かすことにより、前記嵌合筒１１に固定される空圧式伸縮ロッドの昇降をコントロールすることができる。また、前記台座２上の前記滑動座２５の前記嵌入溝２５６に嵌入した前記ストッパー５３の前記ストッパー部５３２が前記双方向往復調整器５４の前記導線５２に引っ張られ、即ち前記双方向往復調整器５４の前記回転軸５５のレバーを動かすことにより、前記ストッパー５３２が前記嵌入溝２５６より離脱する構造により、前記台座２を前後移動させることができ、反対に前記双方向往復調整器５４の前記回転軸５５のレバーを戻す時、前記導線５２の引っ張り力がなくなると同時に、前記導線５２に引っ張られた前記ストッパー５３の前記ストッパー部５３２がばね５３１の反発力により前記ストッパー５３より突出する為、再び前記嵌入溝２５６に嵌入し、前記台座２を固定させることができる。
【００２０】
また、使用者が前記固定式往復調整器５４の前記回転軸５５のレバーを動かし、前記可動板１５を前記嵌合座２４から離脱させる時、前記可動板１５は前記導線１８１に引っ張られ、前記定位ばね１７２は圧縮された状態になる。前記台座２は前記底座１の前記軸ロッド４を軸として前記弾性調整集成体１９により緩衝機能を具備する状態となる。
【００２１】
また、使用者が背もたれに掛ける力の強さにより、前記支架ロッド３の前記台座２及び前記底座１に相対する角度を変化させることができ、前記により背もたれの角度調整を行なうことができる。
さらにまた使用者が前記双方向往復調整器５４を緩めることにより、前記定位ばね１７２の反発力を回復させ、前記可動板１５を前記嵌合溝２４１に嵌入させることができ、前記調整後の背もたれの角度を固定することができることで、多機能コントロールの目的を達成することができる。
【００２２】
また、前記導線５１、前記導線５２、前記導線１８１のそれぞれが前記往復調整器５、或は、前記双方向往復調整器５４と連結することができる構造により、前記往復調整器５、前記双方向往復調整器５４をひじ掛け、腰掛け部（着座部）等の適当な位置に設置することができ、外観の美的意匠性を向上することができる。
【００２３】
また、底盤１０の外観を美化する為に、図８に示すようにカバー６を設置することも可能である。本実施例では、前記カバー６は上カバー６１と下カバー６２とからなり、前記上カバー６１は前記台座２の両端に設置される２つの前記滑動座２５の間にちょうど位置するように設置され、前記台座２の前記導管２８に相対する位置に１つの導管孔６１２を有し、又、前記導管孔６１２に相対する前記導管２８より貫通する前記導線５１をガイドする為の導管架６１３を有する。
【００２４】
前記導管孔６１２及び前記導管架６１３は前記導線５１をガイドする為のもので、前記導線５１が周知の方法により、直接外方向に延出され、前記台座２を貫通する必要がない場合は、前記導管孔６１２及び前記導管架６１３を設置する必要はない。
また、前記上カバー６１、前記下カバー６２それぞれは、前記台座２上のネジ孔２７を介して固定されるよう、対応したネジ孔６１１，６２１を有する。
また、前記ストッパー５３は前記下カバー６２の前記嵌入溝２５６に相対する位置に設置してもよく、前記ストッパー５３の前記ストッパー部５３２が前記嵌入溝２５６に嵌入、或いは、離脱することにより、前記滑動座２５を固定、或いは、可動させることができる。
【００２５】
また、、図９に示すように、前記導線カバー１８及び前記ネジロッド１７は、それぞれねじ結合する部分で重ね合わさるように、それぞれ対応して孔１８２と挿入孔１７３とを有する構成にして１本の止めピン７によりロックすることもできるし、或いは周知の技術であるネジロッド１７の末端に導線嵌入溝を設ける方法でもよい。
【図面の簡単な説明】
【００２６】
【図１】本考案の椅子着座部の底盤に係る第１実施例を示す底座の分解斜視図である。
【図２】本考案の椅子着座部の底盤に係る第１実施例を示す可動板の作動説明図である。
【図３】本考案の椅子着座部の底盤に係る第１実施例を示す台座の分解斜視図である。
【図４】本考案の椅子着座部の底盤に係る第１実施例を示す着座部の底盤の分解斜視図である。
【図５】本考案の椅子着座部の底盤に係る第１実施例を示す底盤の組み合わせ状態を示す斜視図である。
【図６】本考案の椅子着座部の底盤に係る第１実施例を示す往復調整器の分解斜視図である。
【図７】本考案の椅子着座部の底盤に係る第１実施例を示す双方向往復調整器の分解斜視図である。
【図８】本考案の椅子着座部の底盤に係る第１実施例を示す底座のカバー部を示す分解斜視図である。
【図９】本考案の椅子着座部の底盤に係る可動板の変形例を示す説明図である。
【符号の説明】
【００２７】
１        底座
１０１    枢軸孔
１０１    枢軸孔
１０３    貫通孔
１０      嵌合筒
１１      フレーム座
１２      可動ロッド
１３      基座
１４      可動板
１５１    枢軸孔
１６      フレーム
１６１    線孔
１６２    導輪
１７      ネジロッド
１７１    ばね
１７２    定位ばね
１７３    挿入孔
１８      導線カバー
１８１    導線
１８２    穴
１９      弾性調整集成体
１９１    弾性調整座
２        台座
２１      ネジ穴
２２      枢軸孔
２３      長孔
２４      嵌合座
２４１    嵌合溝
２５      滑動座
２５１    軌道板
２５２    凹型座
２５３    ボール受け孔
２５４    ボール
２５５    蓋
２５６    嵌入溝  
２６       長穴
２７      ネジ孔
２８      導管
３        支架ロッド
３１      枢軸孔
３２      枢軸孔
４        軸ロッド
４１      ネジロッド
５        往復調整器
５１      導線
５２      導線
５３      ストッパー
５３１    ばね
５３２    ストッパー部
５４      双方向往復調整器
５５      回転軸
５６      制限プレート
５７      ストッパー接触面
６        カバー
６１      上カバー
６１１    ネジ孔
６１２    導管孔
６１３    導管架
６２      下カバー
６２１    ネジ孔
７        止めピン
１０      底盤
【図１】
0003108304.tif 000003
【図２】
0003108304.tif 000004
【図３】
0003108304.tif 000005
【図４】
0003108304.tif 000006
【図５】
0003108304.tif 000007
【図６】
0003108304.tif 000008
【図７】
0003108304.tif 000009
【図８】
0003108304.tif 000010
【図９】
0003108304.tif 000011